(57)【要約】【課題】高所での作業時におけるナットの落下を防止することができる配管支持具を提供すること。【解決手段】本発明の配管支持具１は、配管を配管挿通部に挿通した状態で、締着片３に形成された孔４に挿通された配管を支持・固定するためにボルトを締めるにあたって、孔４の一方に締着片３と一体になり、内側に雌ねじ５１を形成したボルト螺合部５を配設しているので、ナットを使用せずにボルトを螺合して、配管挿通部に挿通された配管を支持・固定することができる。本発明に係る配管支持具１は、高所での作業時にナットを落下させることを防止することが可能となり、また、ナットを使用しないので、部品点数の削減を図ることができ、吊り配管や立て配管を支持・固定するための配管支持具１として使用することができる。【選択図】図３
2014025519.tif 000002
【特許請求の範囲】
【請求項１】
内側に支持対象の配管が挿通可能なように円環状に湾曲形成され、開放される端部同士が対向する配管挿通部と、前記端部から外側に延びるように配設され、互いに対向する一対の締着片と、を備え、前記配管を前記配管挿通部に挿通した状態で、前記締着片に形成された孔に挿通されたボルトを螺合させることにより、前記配管挿通部に挿通された前記配管を支持・固定する配管支持具において、
前記対向する一対の締着片の少なくとも一方の前記締着片に形成された前記孔には、当該孔から前記ボルトの挿通方向に延びるように、内側に前記ボルトのねじ山に対応した雌ねじが形成されたボルト螺合部が前記締着片と一体になって配設されていることを特徴とする配管支持具。
【請求項２】
前記ボルト螺合部の内側の前記雌ねじが、前記孔の内側から続いて形成されていることを特徴とする請求項１に記載の配管支持具。
【発明の詳細な説明】
【技術分野】
【０００１】
本発明は、配管支持具に関する。さらに詳しくは、吊り配管や立て配管を支持・固定するための配管支持具に関する。
【背景技術】
【０００２】
配管を建物に設置し、支持・固定する配管支持具としては、横走り管となる吊り配管を天井や上階スラブに支持・固定する吊りバンドや、立ち上がり管となる立て配管を壁に支持・固定する立ちバンドが知られている。
【０００３】
このような吊りバンドや立ちバンドといった配管支持具は、内側に支持対象の配管が挿通可能なように円環状に湾曲形成され、開放される端部同士が対向する配管挿通部と、前記端部から外側に延びるように配設され、互いに対向する一対の締着片と、を備え、配管を配管挿通部に挿通した状態で、締着片に形成された孔に挿通されたボルトを螺合させることにより、配管挿通部に挿通された配管を支持・固定するものである。また、配管支持具としては、一対の締着片の間に天井面や上階床スラブ下面に固定されたターンバックルの下端や、壁面に固定された連結具の先端を挟み込み、配管を配管挿通部に挿通した状態で、一対の締着片に形成された孔にボルトを挿通して、ボルトの先端方向からナットを締め付けることにより、配管を天井や上階床スラブから吊持したり、壁に固定できるようにしているものである（例えば、特許文献１や特許文献２を参照。）。
【先行技術文献】
【特許文献】
【０００４】
【特許文献１】特開平１０−２２０６４７号公報
【特許文献２】特開２００１−１０８１５２号公報
【発明の開示】
【発明が解決しようとする課題】
【０００５】
配管の取り付けについては、例えば、吊りバンドにあっては、先端側を天井に固定した吊りボルトに、高さ調整して吊り下げ固定したターンバックルの下端にヒンジ機構によって開閉自在に構成される配管挿通部の端部に形成される締着片を、締着片に形成された孔にボルトを挿通させて、次いでボルトの先端からナットを取り付けて締め付けて螺合させ、配管を支持・固定するようにする。
【０００６】
このように、従来の吊りバンドや立ちバンドは、締着片の孔に挿通されたボルトを締めるにあたっては、ボルトの端部にナットを取り付け、締め付けて螺合させるのが一般的であるが、高所でのボルトを締め付ける作業では、手からナットを離して、ナットが落下してしまうことが頻繁にあった。一方、作業場からナットが落下した場合には、作業場の下を通る人間等にナットが当たってしまい怪我をする危険性や、落ちたナットを取りに行く手間が発生する等の問題があった。
【０００７】
本発明の目的は、前記の課題に鑑みてなされたものであり、高所での作業時におけるナットの落下を防止することができる配管支持具を提供することにある。
【課題を解決するための手段】
【０００８】
前記の課題を解決するために、本発明に係る配管支持具は、内側に支持対象の配管が挿通可能なように円環状に湾曲形成され、開放される端部同士が対向する配管挿通部と、前記端部から外側に延びるように配設され、互いに対向する一対の締着片と、を備え、前記配管を前記配管挿通部に挿通した状態で、前記締着片に形成された孔に挿通されたボルトを螺合させることにより、前記配管挿通部に挿通された前記配管を支持・固定する配管支持具において、前記対向する一対の締着片の少なくとも一方の前記締着片に形成された前記孔には、当該孔から前記ボルトの挿通方向に延びるように、内側に前記ボルトのねじ山に対応した雌ねじが形成されたボルト螺合部が前記締着片と一体になって配設されていることを特徴とする。
【０００９】
本発明に係る配管支持具は、前記した本発明において、前記ボルト螺合部の内側の前記雌ねじが、前記孔の内側から続いて形成されていることを特徴とする。
【発明の効果】
【００１０】
本発明に係る配管支持具は、配管を配管挿通部に挿通した状態で、締着片に形成された孔に挿通された配管を支持・固定するためにボルトを締めるにあたって、孔の一方に締着片と一体になり内側に雌ねじを形成したボルト螺合部を配設しているので、ナットを使用せずにボルトを螺合して、配管挿通部に挿通された配管を支持・固定することができ、高所での作業時にナットを落下させることを防止することが可能な配管支持具となる。また、ナットを使用しないので、部品点数の削減を図ることができる。
【図面の簡単な説明】
【００１１】
【図１】本発明に係る配管支持具である吊りバンドの一態様を示した正面図である。
【図２】図１の吊りバンドを図１の矢印方向から見た図である。
【図３】締着片の孔の内部周辺を示した部分断面図である。
【図４】本発明に係る配管支持具である立ちバンドの一態様を示した正面図である。
【図５】図４の立ちバンドを図４の矢印方向から見た図である。
【発明を実施するための形態】
【００１２】
以下、本発明に係る配管支持具１の構成を図面に基づいて説明する。
【００１３】
（Ｉ）配管支持具１の構成：
図１は、本発明に係る配管支持具１である吊りバンド１ａの一態様を示した正面図、図２は、図１の吊りバンド１ａを図１の矢印方向から見た図、をそれぞれ示す。なお、図２、及び後記する図３、図５は、ボルトＢを除いた状態を示している。
【００１４】
図１及び図２は、本実施形態に係る配管支持具１である吊りバンド１ａをターンバックルＴとともに示した図であるが、図１及び図２に示すように、本実施形態に係る吊りバンド１ａは、内側（配管が挿通される側）に支持対象の図示しない配管が挿通可能なように円環状に湾曲形成され、開放される端部（端部２１２，２２２）同士が対向する配管挿通部２と、かかる配管挿通部２の端部から外側（配管が挿通される側と反対側）に延びるように配設され、互いに対向する一対の締着片３と、を備えている。
【００１５】
吊りバンド１は、図示しない配管を配管挿通部２に挿通した状態で、締着片３に形成された孔４に挿通されたボルトＢを螺合させることにより、配管挿通部２に挿通された配管を支持・固定するが、かかる配管を、例えば横走り箇所で配管挿通部２に挿通するとともに、上階床スラブ等の下面に取り付けられた図示しない吊りボルトにターンバックルＴを連結し、ターンバックルＴの下端を一対の締着片３の間に挟み込んだ上、締着片３に形成された孔４にボルトＢを挿通してボルトＢを螺合させることにより、配管挿通部２に挿通された配管を上階床スラブ等から吊持して支持・固定できるようになっている。
【００１６】
吊りバンド１ａは、例えば、図示しない帯状鋼板を円環状に湾曲形成することで配管挿通部２とすることができる。配管挿通部２は、本実施形態にあっては、対称形状の半円形状に湾曲形成した第１の配管挿通部２１及び第２の配管挿通部２２の一方の端部２１１，２２１同士をヒンジ２３で連結することにより開閉自在としている。また、第１の配管挿通部２１及び第２の配管挿通部２２の他方の端部２１２，２２２を外側（配管が挿通される側と反対側）に折り曲げて互いに対向させることで、一対の締着片３としている。
【００１７】
一対の締着片３は、その間にターンバックルＴの下端を挟み込んでいる。図２に示すように、一対の締着片３には、それぞれボルトＢを挿通可能な孔４が形成されており、ターンバックルＴの下端を挟み込んだ状態で、ターンバックルＴの下端に形成された孔Ｔ１にボルトＢを挿通させ、ボルトＢを螺合させるようにする。
【００１８】
図３は、締着片３の孔４の内部周辺を示した部分断面図である。図３に示すように、一方の締着片３の孔４には、孔４からボルトＢの挿通方向（図３の矢印方向）に延びるようにボルト螺合部５が締着片３と一体になって配設されている。また、ボルト螺合部５の内側には、孔４の内側から続いて、ボルトＢのねじ山に対応した雌ねじ５１が形成されている。このように、ボルト螺合部５の内側に孔４の内側から続いてボルトＢのねじ山に対応した雌ねじ５１が形成されているので、ボルトＢを螺合するためにナットを使用することなく、ボルトＢを螺合して配管挿通部２に挿通された図示しない配管を支持・固定することができる。
【００１９】
ボルト螺合部５における雌ねじ５１の径は、使用されるボルトＢに形成される雄ねじの径等に対応させて適宜決定することができる。また、ボルト螺合部５や雌ねじ５１の長さＬも、使用されるボルトＢの長さや、締着片３の厚さ等に応じて適宜決定することができるが、ボルト螺合部５の内側に形成される雌ねじ５１の長さＬは、概ね２．０〜８．０ｍｍの範囲内であることが好ましく、２．０〜６．０ｍｍの範囲内であることがさらに好ましく、４．０〜６．０ｍｍの範囲内であることが特に好ましい。雌ねじ５１の長さＬをかかる範囲とすれば、ボルトＢを確実に螺合させることができる。なお、本態様にあっては、雌ねじ５１が孔４の内側から続いてボルト螺合部５の内側に形成されているので、孔４の内側に雌ねじ５１を形成せず平坦として、雌ねじ５１をボルト螺合部５の内側のみに形成する場合と比較して、ボルト螺合部５の長さを短くすることができる。
【００２０】
なお、図１及び図２では、本発明に係る配管支持具１を、図示しない横走り管等となる吊り配管に適用可能な吊りバンド１ａとして説明したが、本発明に係る配管支持具１は、吊りバンド１ａだけでなく、図示しない立ち上がり管等となる立ち配管に適用される立ちバンド１ｂとすることも可能である。
【００２１】
図４は、本発明に係る配管支持具１である立ちバンド１ｂの一態様を示した正面図であり、図５は、図４の立ちバンド１ｂを図４の矢印方向から見た図である。図４及び図５に示すように、本実施形態に係る立ちバンド１ｂは、前記した吊りバンド１ａと同様に、内側に支持対象の図示しない配管が挿通可能なように円環状に湾曲形成され、開放される端部（端部２１２，２２２）同士が対向する配管挿通部２と、かかる配管挿通部２の端部から外側（配管が挿通される側と反対側）に延びるように配設され、互いに対向する一対の締着片３と、を備えている。立ちバンド１ｂは、図示しない配管を立ち上がり箇所で配管挿通部２に挿通するとともに、壁面等に取り付けられた図示しない連結部の先端を一対の締着片３の間に挟み込んだ上、締着片３に形成された孔４にボルトＢを挿通させて螺合させることにより、配管を壁等に固定できるようになっている。
【００２２】
図４及び図５に示した立ちバンド１ｂは、図１及び図２に示した吊りバンド１ａと同様に、図示しない帯状鋼板を環状に湾曲形成することで湾曲部分を配管挿通部２とすることができ、配管挿通部２は、半円形状に湾曲形成した第１の配管挿通部２１及び第２の配管挿通部２２の一方の端部２１１，２２１同士をヒンジ２３で連結することにより開閉自在とすることができる。また、第１の配管挿通部２１及び第２の配管挿通部２２の他方の端部２１２，２２２を外側（配管が挿通される側と反対側）に折り曲げて互いに対向させることで、一対の締着片３としている。一対の締着片３には、それぞれボルトＢを挿通可能な孔４が形成されており、壁面等に取り付けられた図示しない連結部の先端を挟み込んだ状態で、かかる連結部の先端に形成された孔４にボルトＢを挿通させ、ボルトＢを螺合させるようにする。
【００２３】
締着片３の孔４の内部周辺は前記した図３と共通する。すなわち、一方の締着片３の孔４には、孔４からボルトＢの挿通方向に延びるように、ボルト螺合部５が締着片３と一体になって配設されている。また、ボルト螺合部５の内側には、孔４の内側から続いて、ボルトＢのねじ山に対応した雌ねじ５１が形成されている。このように、ボルト螺合部５の内側に、孔４の内側から続いてボルトＢのねじ山に対応した雌ねじ５１が形成されているので、ボルトＢを螺合するためにナットを使用することなく、ボルトＢを螺合して配管挿通部２に挿通された図示しない配管を支持・固定することができる。
【００２４】
なお、ボルト螺合部５における雌ねじ５１の径や、ボルト螺合部５の長さや雌ねじ５１の長さＬも、前記した吊りバンド１ａに形成されたボルト螺合部５や雌ねじ５１と内容を共通する。すなわち、ボルト螺合部５における雌ねじ５１の径は、使用されるボルトＢに形成される雄ねじの径等に対応させて適宜決定することができ、また、ボルト螺合部５や雌ねじ５１の長さＬも、使用されるボルトＢの長さや、締着片３の厚さ等に応じて適宜決定することができる。そして、ボルト螺合部５の内側に形成される雌ねじ５１の長さＬは、概ね２．０〜８．０ｍｍの範囲内であることが好ましく、２．０〜６．０ｍｍの範囲内であることがさらに好ましく、４．０〜６．０ｍｍの範囲内であることが特に好ましい。雌ねじ５１の長さＬをかかる範囲とすれば、ボルトＢを確実に螺合させることができる。
【００２５】
（II）本発明の効果：
以上説明した本実施形態に係る吊りバンド１ａや立ちバンド１ｂは、図示しない配管を配管挿通部２に挿通した状態で、締着片３に形成された孔４に挿通された配管を支持・固定するためにボルトＢを締めるにあたって、孔４の一方に締着片３と一体になり、内側に雌ねじ５１を形成したボルト螺合部５を配設しているので、ナットを使用せずにボルトＢを螺合して、配管挿通部２に挿通された配管を支持・固定することができる。このような本発明は、高所での作業時にナットを落下させることを防止することが可能な配管支持具１となり、また、ナットを使用しないので、部品点数の削減を図ることができ、吊り配管や立て配管を支持・固定するための配管支持具１として使用することができる。
【００２６】
（III）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００２７】
例えば、前記した態様では、対称形状の半円形状に湾曲形成した第１の配管挿通部２１及び第２の配管挿通部２２の一方の端部同士をヒンジ２３で連結することにより開閉自在な円環状の配管挿通部２としている構成を例に挙げて示したが、配管挿通部２はかかる構成には限定されず、端部同士をヒンジ２３で連結する第１の配管挿通部２１及び第２の配管挿通部２２を対称形状としなくてもよく、また、ヒンジ２３で連結せず、配管挿通部２を１つの部材として構成するようにしてもよい。
【００２８】
前記した態様では、ボルト螺合部５が締着片３と一体になって配設されており、ボルト螺合部５の内側には、孔４の内側から続いて、ボルトＢのねじ山に対応した雌ねじ５１が形成されている態様を示したが、雌ねじ５１は、ボルト螺合部５の内側のみに形成するようにしてもよい。
その他、本発明の実施の際の具体的な構造及び形状等は、本発明の目的を達成できる範囲で他の構造等としてもよい。
【産業上の利用可能性】
【００２９】
本発明は、吊り配管や立て配管を安全かつ作業性よく支持・固定する手段として有利に使用することができ、産業上の利用可能性が非常に高い。
【符号の説明】
【００３０】
１  ……  配管支持具
１ａ  ……  吊りバンド
１ｂ  ……  立ちバンド
２  ……  配管挿通部
２１  ……  第１の配管挿通部
２２  ……  第２の配管挿通部
２３  ……  ヒンジ
２１１，２２１  ……  一方の端部
２１２，２２２  ……  他方の端部
３  ……  締着片
４  ……  孔
５  ……  ボルト螺合部
５１  ……  雌ねじ
Ｂ  ……  ボルト
Ｌ  ……  雌ねじの長さ
Ｔ  ……  ターンバックル
Ｔ１  ……  ターンバックルに形成される孔
【図１】
2014025519.tif 000003
【図２】
2014025519.tif 000004
【図３】
2014025519.tif 000005
【図４】
2014025519.tif 000006
【図５】
2014025519.tif 000007